(57)【要約】【課題】簡単な構造で、任意の情報が視覚と触覚で注意を引くように設けられ、再封が可能で便利な包装用箱を提供する。【解決手段】一枚の箱体形成片１２から成り、互いに平行に連設された側面１４，１６，１８，２０と、側面同士の連接方向の端部に位置する側面２０の側縁部に設けられ連接方向の他方の端部の側面１４の裏面に糊付けされる糊付片２２を有する。糊付片２２が糊付けされた側面１４には、端部に位置する取出口８５を覆う蓋片３２を備える。側面１４には差込片３６が、開封用破断線３８で区切られて設けられている。差込片３６は、開封用破断線３８で分離した状態で、折罫線３４から離れる方に突出するフラップとなる。糊付片２２は、差込片３６に覆われた部分は糊付けされず、差込片３６に覆われた部分に印刷部７８を備える。【選択図】図１
2020001729.tif 000002
【特許請求の範囲】
【請求項１】
一枚の箱体形成片から成り、互いに平行に連設された側面と、前記側面同士の連接方向の端部に位置する一つの前記側面の側縁部に設けられ連接方向の他方の端部に位置する前記側面の裏面に糊付けされて筒体に組み立てられる糊付片を備え、
前記糊付片が糊付けされた前記側面には、前記筒体の端部に位置する取出口を覆う蓋片が折罫線を介して設けられ、前記側面の、前記折罫線に隣接する部分には、差込片が、開封用破断線で区切られて設けられ、前記差込片は、前記開封用破断線で前記側面から分離した状態で、前記折罫線から離れる方に突出するフラップとなり、
前記糊付片は、前記差込片に覆われた部分が糊付けされず、前記差込片に覆われた部分に印刷部が設けられ、
前記開封用破断線を切断して開封し、前記差込片を前記糊付片の裏面に差し込んで再封可能に形成されたことを特徴とする包装用箱。
【請求項２】
前記糊付片が糊付けされた前記側面には、前記差込片に連続する部分が切り欠かかれて開口部が形成され、前記糊付片の一部は前記開口部から露出し、露出した部分にも印刷部が設けられている請求項１記載の包装用箱。
【請求項３】
前記糊付片の、前記差込片に糊付けされる部分は、差込片用糊付片が糊付片用破断線またはスリットで区切られて、前記糊付片から分離可能に設けられている請求項１記載の包装用箱。
【発明の詳細な説明】
【技術分野】
【０００１】
この発明は、収容物に関する情報を示す表示を可能にした包装用箱に関する。
【背景技術】
【０００２】
従来、医薬品を包装する包装用箱には、薬剤師等の使用者が間違えやすい容量等を、同じ平面部分にグラフィック等のデザイン表現での注意喚起表現がされている。使用者は、包装用箱を開封する時、業務上いつも使用しているような医薬品の包装用箱については、効率を上げるため、正面部分の記載を確認せずに開封している。このため、誤用を防ぐことができる、より強く注意喚起を促すものが求められている。また、開封した後に、天面部分に紙の厚みの段差を生じ、段差の部分に文字や絵柄が表示され、使用者の視覚と触覚で注意を引くものもある。
【０００３】
例えば特許文献１に開示されている包装用箱は、一枚の箱体から成り、箱体形成片には、互いに連接され筒体に組み立てられる複数の側面と、筒体の一方の端部に設けられ端部の開口を閉鎖する上蓋片と、上蓋片の裏面に重ねられるフラップを有している。上蓋片の一部には、破断線と折り曲げ線で囲まれた折込片を備えている。上蓋片は、折込片を、破断線を切断して折り曲げ線で折り返すことにより開口部が形成され、フラップの表面が露出する。開口部に露出したフラップの表面には、文字や絵柄により情報が印刷された印刷部が設けられ、情報が表示されている。
【先行技術文献】
【特許文献】
【０００４】
【特許文献１】特開２０１７−２０２８３７号公報
【発明の概要】
【発明が解決しようとする課題】
【０００５】
上記背景技術の場合、開封前は天面部分に凹凸がなく、視覚と触覚でより強く注意を引くことは考えられていない。また、開封後に、開封したことを示す注意喚起表現がされるものであり、開封前に注意喚起表現をすることも考えられていない。
【０００６】
この発明は、上記背景技術の問題点に鑑みてなされたものであり、簡単な構造で、任意の情報が視覚と触覚で注意を引くように設けられ、また再封が可能で便利な包装用箱を提供することを目的とする。
【課題を解決するための手段】
【０００７】
本発明は、一枚の箱体形成片から成り、互いに平行に連設された側面と、前記側面同士の連接方向の端部に位置する一つの前記側面の側縁部に設けられ連接方向の他方の端部に位置する前記側面の裏面に糊付けされて筒体に組み立てられる糊付片が設けられた包装用箱である。前記糊付片が糊付けされた前記側面には、前記筒体の端部に位置する取出口を覆う蓋片が折罫線を介して設けられている。前記側面の、前記折罫線に隣接する部分には、差込片が、開封用破断線で区切られて設けられ、前記差込片は、前記開封用破断線で前記側面から分離した状態で、前記折罫線から離れる方に突出するフラップとなる。前記糊付片は、前記差込片に覆われた部分は糊付けされず、前記差込片に覆われた部分に印刷部が設けられている。そして、前記包装用箱は、前記開封用破断線を切断して開封し、前記差込片を前記糊付片の裏面に差し込んで再封可能に形成されている。
【０００８】
前記糊付片が糊付けされた前記側面には、前記差込片に連続する部分が切り欠かかれて開口部が形成され、前記糊付片の一部は前記開口部から露出し、露出した部分にも印刷部が設けられている。
【０００９】
前記糊付片の、前記差込片に糊付けされる部分は、差込片用糊付片が糊付片用破断線又はスリットで区切られて、前記糊付片から分離可能に設けられている。
【発明の効果】
【００１０】
本発明の包装用箱は、簡単な構造で、任意の情報が視覚と触覚で注意を引くように設けられ、再封が可能で便利である。開封前にも開封後にも、注意を引くような印刷部を表示し、使用者に注意喚起することができる。
【図面の簡単な説明】
【００１１】
【図１】この発明の第一実施形態の包装用箱を開封した状態を示す斜視図である。
【図２】この発明の第一実施形態の包装用箱を再封した状態を示す斜視図である。
【図３】この発明の第一実施形態の包装用箱の展開図である。
【図４】この発明の第一実施形態の包装用箱の組立状態を示す正面図である。
【図５】この発明の第一実施形態の包装用箱の斜視図である。
【図６】この発明の第一実施形態の包装用箱を開封する操作を示す斜視図である。
【図７】この発明の第二実施形態の包装用箱の展開図である。
【発明を実施するための形態】
【００１２】
以下、この発明の実施形態について図面に基づいて説明する。図１〜図６はこの発明の第一実施形態を示すもので、この実施形態の包装用箱１０は、紙製のシートを打ち抜いて形成された箱体形成片１２を組み立てて設けられている。図３は箱体形成片１２を表面から見た展開図であり、箱体形成片１２は、側面１４，１６，１８，２０が、互いに平行に連接して形成されている。側面１４，１６，１８，２０は、連接方向と直交する幅方向が互いに等しい矩形であり、連接方向の長さは側面１４，１８が長く、側面１６，２０はそれより少し短い。側面２０の側縁部には、包装用箱１０の組立状態で側面１４の裏面に糊付けされる糊付片２２が設けられている。側面１４，１６，１８，２０、糊付片２２は、各々折罫線２４，２６，２８，３０で区切られて設けられている。
【００１３】
側面１４において、側面同士の連接方向に対して直角な方向の一端部には、矩形の外側上蓋片３２が折罫線３４で区切られて設けられている。側面１４の、折罫線３４に隣接する部分には、差込片３６が設けられている。差込片３６は、側面１４の、折罫線２４とは反対側の側縁部１４ａに達して設けられ、側縁部１４ａの所定位置から折罫線２４と折罫線３４の交点付近に達する開封用破断線３８で、周囲と区切られている。開封用破断線３８は、側縁部１４ａに交差して形成されて折罫線２４から少し離れた位置に達する直線と、この直線の端部から、折罫線２４と折罫線３４の交点付近に達する直線で形成された逆ヘの字形状であり、差込片３６は、折罫線３４から離れる方に膨出する略台形状であり、外側上蓋片３２よりやや小さい。差込片３６の、側縁部１４ａ側の角部は、外側に膨出する円弧で形成され、差込部３６ａとなる。差込片３６は、開封用破断線３８で側面１４から分離した状態で、折罫線３４から離れる方に突出するフラップとなる。
【００１４】
側面１４の、側縁部１４ａに隣接する部分には、差込片３６に連続する部分が矩形に切り欠かかれて開口部４０が形成されている。開口部４０の大きさは、折罫線３４に対して直角方向の長さは差込片３６とほぼ同じ程度で、折罫線３４に沿って平行な長さは、折罫線３４の半分以下の短いものである。側面１４の、折罫線３４とは反対側の端部には、外側上蓋片３２と同形状の外側下蓋片４２が折罫線４４で区切られて設けられている。
【００１５】
側面１６の、側面１４の折罫線３４に隣接する端部には、側面１６の端部を下底とする小さい台形状のフラップ４６が折罫線４８で区切られて設けられている。側面１６の、折罫線４８と反対側の端部にも、小さい台形状のフラップ５０が折罫線５２で区切られて設けられている。
【００１６】
側面１８の、側面１６の折罫線４８に隣接する端部には、矩形の内側上蓋片５４が折罫線５６で区切られて設けられている。内側上蓋片５４は、外側上蓋片３２よりも少し小さい。側面１８の、折罫線５６とは反対側の端部には、内側上蓋片５４と同形状の内側下蓋片５８が折罫線６０で区切られて設けられている。側面１６の、折罫線６０に隣接する部分には、円弧形の廃棄用破断線６２が設けられている。廃棄用破断線６２の両端部は、折罫線６０の両端部付近に達し、中間部分は側面１８の中央に向かって膨出する。
【００１７】
側面２０の、側面１８の折罫線５６に隣接する部分には、側面２０の端部を下底とする小さい台形状のフラップ６４が折罫線６６で区切られて設けられている。側面２０の、折罫線６６とは反対側の端部にも、小さい台形状のフラップ６８が折罫線７０で区切られて設けられている。
【００１８】
糊付片２２は、側面２０より僅かに小さい矩形に形成されている。糊付片２２の、側面２０の折罫線６６に隣接する端部２２ａと、折罫線３０とは反対側に位置する側縁部２２ｂとで形成される角部は、矩形の差込片用糊付片７２となっている。差込片用糊付片７２は端部２２ａに交差する糊付片用破断線７４と、側縁部２２ｂに交差する方向に長いスリット７６で囲まれて区切られ、略矩形であり、スリット７６と側縁部２２ｂで囲まれた角部は面取りされている。差込片用糊付片７２と折罫線３０の間の部分には、包装用箱１０の組立状態で差込片３６に重なる位置に、例えば「開封済み」と書いた文字が印刷された印刷部７８が設けられている。印刷部７８よりも、端部２２ａから離れた部分には、包装用箱１０の組立状態で開口部４０に重なって露出する位置に、「５ｍｇ」と書いた文字が印刷された印刷部８０が設けられている。
【００１９】
次に、この実施形態の包装用箱１０の組立方法の一例について説明する。なお、ここでは図３が包装用箱１０の箱体形成片１２の表面を見たものであり、箱体形成片１２の表面が凸になる折り方を正折り、そして裏面が凸になる折り方を逆折りと称する。
【００２０】
まず、糊付片２２の表面に糊８２を塗布する。糊８２は、例えば、側縁部２２ｂに近い位置と折罫線３０に近い位置に、互いに平行に２本の直線で塗布する。側縁部２２ｂに近い位置の糊８２は、差込片用糊付片７２にも連続して塗布する。折罫線３０に近い糊８２は、印刷部８０に重ならない位置で止められている。次に、折罫線２８を正折りし、さらに折罫線２４を正折りし、側面１４の裏面は糊８２により糊付片２２の表面に糊付けされ、図４に示すように折り畳み状態となる。差込片３６の、折罫線２４に近い部分は、差込片用糊付片７２に糊付けされる。糊付片２２の印刷部８０は側面１４の開口部４０から露出し、印刷部７８は差込片３６に覆われる。
【００２１】
糊８２は、印刷部８０に達しないように塗布されているため、差込片３６の側縁部１４ａ側は、糊付片２２に糊付けされず、開口部４０もあるので、糊付片２２との間に隙間が生じやすいが、折罫線２４側は糊付片２２に連続する差込片用糊付片７２に糊付けされているため、隙間を小さく抑える。この状態で箱体形成片１２による折り畳み状態の包装用箱１０が、商品である収容物を包装する工場へ出荷される。
【００２２】
次に、収容物を収容し包装する工場において、折罫線２４，２６，２８，３０を各々９０°に正折りして四角形の筒体にする。そして、内側上蓋片５４の表面に、折罫線５６に沿って糊８４を塗布し、折罫線４８，６６でフラップ４６，６４を９０°に正折りし、内側上蓋片５４を折罫線５６で正折りし、次に外側上蓋片３２を折罫線３４で９０°に正折りする。これにより、外側上蓋片３２の裏面に内側上蓋片５４の表面が糊８４により糊付けされ、一方の端面が形成される。
【００２３】
そして他方の端面から商品である収容物を入れる。収容物は、例えば医薬品である。そして、内側下蓋片５８の表面に、折罫線６０に沿って糊８４を塗布し、折罫線５２，７０でフラップ５０，６８を９０°に正折りし、内側下蓋片５８を折罫線６０で正折りし、次に外側下蓋片４２を折罫線４４で９０°に正折りする。これにより、外側下蓋片４２の裏面に内側下蓋片５８の表面が糊８４により糊付けされ、他方の端面が形成され、図５に示すように包装が完了する。側面１４の開口部４０には印刷部８０が露出し、収容物について成分の容量等の情報が視認可能で注意喚起する。
【００２４】
次に、包装用箱１０の使用方法について説明する。包装用箱１０を開封する時は、図６に示すように、差込片３６を押し込んで開封用破断線３８を切断し、側面１４から分離させ、差込片３６と外側上蓋片３２を引き上げる。開封用破断線３８を切断する際に、糊付片用破断線７４も切断され、差込片用糊付片７２は糊付片２２から分離し、差込片３６の裏面に糊付けされた状態で糊付片２２から外れる。外側上蓋片３２を引き上げると、外側上蓋片３２に糊付けされた内側上蓋片５４も引き上げられ、図１に示すように取出口８５が開口され、差込片３６で覆われていた印刷部７８が露出し、開封済みであることが表示される。
【００２５】
収容物を取り出して使用した後、再び包装用箱１０に収容し再封する時は、フラップ４６，６４を正折りし、互いに糊付けされている外側上蓋片３２と内側上蓋片５４を折罫線５６で９０°に正折りし、差込片３６の差込部３６ａを糊付片２２の端部２２ａから裏面に差し込み、図２に示すように再封する。差込片３６は、側面１４の、切断された開封用破断線３８の内側を隙間なく閉鎖する。印刷部７８は露出した状態を維持し、開封済みであることを注意喚起する。包装用箱１０が不要になると、廃棄用破断線６２を切断して外側下蓋片４２を開き、箱体形成片１２を平坦に折り畳んで廃棄しやすくする。
【００２６】
この実施形態の包装用箱１０によれば、簡単な構造で、任意の情報が視覚と触覚で注意を引くように設けられ、また再封が可能で便利である。印刷部８０は、側面１４に紙の厚みの段差を形成する開口部４０の内側に表示されるため、開封前に、視覚的にも触覚的にも、収容物の内容についての情報を作業者に伝え、注意喚起することができる。印刷部７８は、開封前は差込片３６で覆われ、開封して再封したときに表示され、開封済みであることを強く注意喚起することができる。開封後は、折り返したりせずに、簡単な操作で開封済みを示す印刷部７８を表示することができる。取出口８５の近傍には、印刷部７８と印刷部８０が表示されているため、容量違いの医薬品や品名が類似している医薬品を間違えて患者に処方するミスを減らすことができる。さらに、開封前にも開封後にも、印刷部７８，８０により注意喚起の表示を確認することができる。
【００２７】
糊８２は、印刷部８０に達しない位置に塗布されているため、差込片３６の側縁部１４ａ側は、糊付片２２に糊付けされず、開口部４０もあり糊付片２２との間に隙間が生じやすいが、折罫線２４側は差込片用糊付片７２に糊付けされているため、隙間を小さく抑えることができ、他部材に引っ掛かることを防ぐ。差込片用糊付片７２は、糊付片用破断線７４とスリット７６で糊付片２２から区切られているため、開封用破断線３８を切断して差込片３６を側面１４から分離させる際に同時に糊付片２２から分離され、支障なく円滑に開封することができる。
【００２８】
再封は、側面１４の一部を切り取って形成した差込片３６を使用するため、紙面積を増やすことが無い。差込片３６は、開封用破断線３８で側面１４から分離した状態で、折罫線３４から離れる方に突出するフラップとなり、差込片３６の差込部３６ａは外側に膨出する円弧で形成されているため、糊付片２２の裏面に差し込みやすく、再封の操作が簡単であり、また確実に係止される。一般的なサック箱のように、何度でも再封することができる。包装用箱１０は、構造がシンプルであり、既存の包装機械で作ることができる。
【００２９】
次にこの発明の第二実施形態について図７に基づいて説明する。なお、ここで、上記実施形態と同様の部材は同様の符号を付して説明を省略する。この実施形態の包装用箱８６は、紙製のシートを打ち抜いて形成された箱体形成片８８を組み立てて設けられている。
【００３０】
図７は箱体形成片８８を表面から見た展開図であり、箱体形成片８８は、上記実施形態と同様に、側面１４，１６，１８，２０が、互いに平行に連接して形成されている。側面２０の側縁部には、包装用箱１０の組立状態で側面１４の裏面に糊付けされる糊付片２２が設けられている。側面１４，１６，１８，２０、糊付片２２は、各々折罫線２４，２６，２８，３０で区切られて設けられている。
【００３１】
側面１４において、側面同士の連接方向に対して直角な方向の一端部には、矩形の外側上蓋片３２が折罫線３４で区切られて設けられている。側面１４の、折罫線３４に隣接する部分には、差込片９０が設けられている。差込片９０は、側面１４の側縁部１４ａに達して設けられ、側縁部１４ａの所定位置から折罫線２４と折罫線３４の交点付近に達する開封用破断線９２で、周囲と区切られている。開封用破断線９２は、側縁部１４ａに交差して形成され折罫線２４から少し離れた位置に達する直線と、この直線の端部から、折罫線２４と折罫線３４の交点付近に達する直線で形成された逆ヘの字形状であり、差込片９０は、折罫線３４から離れる方に膨出する略台形状であり、外側上蓋片３２よりやや小さい。差込片９０の、側縁部１４ａ側の角部は差込部９０ａとなり、折罫線２４に近い方の角部よりも角度が小さく形成され、さらに、側縁部１４ａからくぼんだ位置にある。差込片９０は、開封用破断線９２で側面１４から分離した状態で、折罫線３４から離れる方に突出するフラップとなる。側面１４の、側縁部１４ａに隣接する部分は、前記実施形態の開口部４０は設けられていない。側面１４の、折罫線３４とは反対側の端部には、外側上蓋片３２と同形状の外側下蓋片４２が折罫線４４で区切られて設けられている。
【００３２】
糊付片２２は、側面２０との連接方向と直交する幅方向は側面２０と同じであり、連接方向の長さは、側面２０の半分以下の細長いものである。なお、前記実施形態の差込片用糊付片７２は設けられていない。端部２２ａの近傍には、包装用箱８６の組立状態で差込片９０に重なる位置に、「開封済み」と書いた文字が印刷された印刷部９４が設けられている。
【００３３】
この実施形態の包装用箱８６の組立方法は、前記実施形態の包装用箱１０とほぼ同じである。糊付片２２は細長いため、糊８２は１本の直線で塗布し、印刷部９４に重ならない位置で止められている。側面１４の裏面は糊８２により糊付片２２の表面に糊付けされ、折り畳み状態となる。糊８２は、印刷部９４に達しない位置で止められているため、差込片９０は、糊付片２２に糊付けされないが、隙間が生じることは無い。
【００３４】
包装用箱８６の使用方法は、前記実施形態の包装用箱１０とほぼ同じである。差込片９０を押し込んで開封用破断線９２を切断し、側面１４から分離させ、差込片９０と外側上蓋片３２を引き上げる。外側上蓋片３２に糊付けされた内側上蓋片５４も引き上げられ、取出口８５が開口される。差込片９０で覆われていた印刷部９４が露出し、開封済みであることが表示される。収容物を取り出して使用した後、再び包装用箱８６に収容し再封する時は、外側上蓋片３２と内側上蓋片５４を折罫線５６で９０°に正折りし、差込片９０の差込部９０ａを糊付片２２の端部２２ａから裏面に差し込み、再封する。印刷部９４は露出した状態を維持し、開封済みであることを注意喚起する。
【００３５】
この実施形態の包装用箱８６によれば、前記実施形態の包装用箱１０と同様の効果を有し、印刷部９４は、開封前は差込片９０で覆われ、開封して再封したときに表示され、開封済みであることを注意喚起することができる。差込部９０ａは鈍角の角部であり、確実に糊付片２２の端部２２ａから裏面に差し込み易く、また面積も広いため確実に係止することができる。
【００３６】
なお、この発明は上記実施形態に限定されるものではなく、側面の形状や、底蓋片の構造、廃棄用破断線の位置や形状等、適宜変更可能である。各印刷部の文字や絵柄は、収容物にあわせて必要な情報にすることができる。収容物は、医薬品以外にもいろいろな物品に使用することができる。
【符号の説明】
【００３７】
１０，８６  包装用箱
１２，８８  箱体形成片
１４，１６，１８，２０  側面
２２  糊付片
３２  外側上蓋片
３４  折罫線
３６，９０  差込片
３８，９２  開封用破断線
４０  開口部
７２  差込片用糊付片
７６  スリット
７４  糊付片用破断線
７８，８０，９４  印刷部
８５  取出口
【図１】
2020001729.tif 000003
【図２】
2020001729.tif 000004
【図３】
2020001729.tif 000005
【図４】
2020001729.tif 000006
【図５】
2020001729.tif 000007
【図６】
2020001729.tif 000008
【図７】
2020001729.tif 000009